【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
電子キーの供給、ユーザ認証、およびアクセス管理のためのコンピュータによって実行されるシステムであって、該システムは：
（ａ）メモリモジュールおよび実行命令を実施するように構成されるオペレーティングシステムを含むデジタル処理装置；
（ｂ）アプリケーションを実行するためのデジタル処理装置によって処理される命令を含むコンピュータプログラムであって、該アプリケーションが：
（ｉ）非接触的な方法でエンドユーザの１つ以上の生体認証の特性を取得するように構成された第１のソフトウェアモジュールであって、１つ以上の生体認証の特性が、指紋、掌紋、虹彩、網膜、顔、ヒトの心臓のリズム、およびヒトの声の１つ以上の生体認証の形式に由来する、第１のソフトウェアモジュール；
（ｉｉ）生体認証の特性に基づきエンドユーザを認証し、および認証に応じて電子キーを作成または受信するように構成された第２のソフトウェアモジュールであって、電子キーが時間表示、地理的位置表示、および事象表示に基づいて取り消し可能であり、時間表示は１つ以上の時間窓を含み、地理的位置表示は物理的またはバーチャルなリソースの位置に対するエンドユーザの地理的位置の近さを含む、第２のソフトウェアモジュール；および、
（ｉｉｉ）１つ以上の生体認証の特性と電子キーに基づいて物理的またはバーチャルなリソースへのアクセスを認めるように構成される第３のソフトウェアモジュールであって、アクセスの認可は事象または１つ以上の時間窓、および物理的またはバーチャルなリソースの位置に対するエンドユーザの地理的位置の近さに基づく、第３のソフトウェアモジュールを含む、コンピュータプログラム、
を含むことを特徴とするシステム。
【請求項２】
アクセスの認可は、１つ以上の生体認証の特性に基づくエンドユーザの同一性の確認と、その後、物理的またはバーチャルなリソースの解除とを含む、請求項１に記載のシステム。
【請求項３】
アクセスの認可は、（ａ）事象の同時またはほぼ同時の実行、あるいは（ｂ）事象の非同期的な実行を含み、事象は以下の群：
（１）エンドユーザの１つ以上の生体認証の特性の確認または識別；
（２）デジタル処理装置の装置ＩＤの読み取り；
（３）デジタル処理装置上でのエンドユーザによる固有のパスコードの入力；
（４）エンドユーザの１つ以上の追加の生体認証の形式に由来する特徴の確認または識別；および
（５）エンドユーザのユーザステータスを一致させるためのコンテキストデータの分析、
から選択される、請求項１に記載のシステム。
【請求項４】
アクセス認可の判断のために、物理的またはバーチャルなリソースの位置のデータに関連する地理的位置に依存する任意の許可の変化が、エンドユーザの地理的位置に対して比較可能になるように、コンテキストデータ、および物理的またはバーチャルなリソースの位置のデータは、時間に基づくまたは事象に基づくスケジュールで更新され、デジタル処理装置に送られる、請求項３に記載のシステム。
【請求項５】
アクセスの認可は、１人以上の追加のユーザからの許可を要求することを含む、請求項３に記載のシステム。
【請求項６】
事象の非同期的な実行は、（ａ）事象の時間のあいだのデジタル処理装置のモニタリングに基づいて、または（ｂ）ユーザが入力したデータ、またはコンテキストデータに基づいて、許可される、請求項３に記載のシステム。
【請求項７】
非接触的プロセスは、エンドユーザの１つ以上の生体認証の形式の光学的な、または音響的な特徴によるエンドユーザの確認または認識を含む、請求項１に記載のシステム。
【請求項８】
エンドユーザの生体認証の形式の光学的な特徴は、ヒトの手のひらの一連の特性に由来し、これは、以下の工程：
（ａ）局所的なクラシファイアを用いて手のひらの領域を検知する工程；
（ｂ）１つ以上の対象領域から特性を抽出する工程；および
（ｃ）データベースに保存された１つ以上のユーザモデルに対するマッチングスコアを計算する工程であって、該データベースがラーニングプロセスを通じて動的に増加し、ラーニングプロセスがディープラーニングに基づく方法論を含む、工程、
を介してエンドユーザの手のひらの画像または一連の画像を撮ることにより実行される、請求項７に記載のシステム。
【請求項９】
物理的なリソースは、（ａ）家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶の１つ以上、あるいは、（ｂ）家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶の１つ以上の小区画を含む、請求項１に記載のシステム。
【請求項１０】
バーチャルなリソースは、財務情報、デジタルサービスのアカウント、デジタル商品のアカウント、個別のファイル、複数のファイル、ユーザインターフェース、セキュリティシステム、オペレーティングシステム、アプリケーション、複数のアプリケーション、電子メール、または電気通信システムの１つ以上を含む、請求項１に記載のシステム。
【請求項１１】
電子キーはコンピュータ装置のデータベースと同期し、コンピュータ装置は、物理的またはバーチャルなリソースのマネージャによって制御され、マネージャはコンピュータ装置のユーザに対し：
（ａ）電子キーに関連したデータの閲覧；
（ｂ）エンドユーザとの直接の連絡；
（ｃ）電子キーの作成または無効化；および
（ｄ）電子キーの送信または受信、
のうち１つ以上を実施することを許可する、請求項１に記載のシステム。
【請求項１２】
アプリケーションはさらに、物理的またはバーチャルなリソースに対して電子キーを受信し、保存し、送信し、または作成するように構成された第４のソフトウェアモジュールを含む、請求項１に記載のシステム。
【請求項１３】
電子キーの供給、認証、およびアクセス管理のためのアプリケーションを作成するためにデジタル信号プロセッサによって実行可能な命令を含むコンピュータプログラムでコード化された非一時的なコンピュータで読み取り可能な記憶媒体であって、該アプリケーションが：
（ａ）非接触的な方法でエンドユーザの１つ以上の生体認証の特性を取得するように構成された第１のソフトウェアモジュールであって、１つ以上の生体認証の特性が、指紋、掌紋、虹彩、網膜、顔、ヒトの心臓のリズム、およびヒトの声の１つ以上の生体認証の形式に由来する、第１のソフトウェアモジュール；
（ｂ）生体認証の特性に基づきエンドユーザを認証し、および認証に応じて電子キーを作成または受信するように構成された第２のソフトウェアモジュールであって、電子キーが時間表示、地理的位置表示、および事象表示に基づいて取り消し可能であり、時間表示は１つ以上の時間窓を含み、地理的位置表示は物理的またはバーチャルなリソースの位置に対するエンドユーザの地理的位置の近さを含む、第２のソフトウェアモジュール；および、
（ｃ）１つ以上の生体認証の特性と電子キーに基づいて物理的またはバーチャルなリソースへのアクセスを認めるように構成される第３のソフトウェアモジュールであって、アクセスの認可は事象または１つ以上の時間窓、および物理的またはバーチャルなリソースの位置に対するエンドユーザの地理的位置の近さに基づく、第３のソフトウェアモジュールを含む、ことを特徴とする記憶媒体。
【請求項１４】
アクセスの認可は、１つ以上の生体認証の特性に基づくエンドユーザの同一性の確認と、その後、物理的またはバーチャルなリソースの解除とを含む、請求項１３に記載の記憶媒体。
【請求項１５】
アクセスの認可は、（ａ）事象の同時またはほぼ同時の実行、あるいは（ｂ）事象の非同期的な実行を含み、事象は以下の群：
（１）エンドユーザの１つ以上の生体認証の特性の確認または識別；
（２）デジタル処理装置の装置ＩＤの読み取り；
（３）デジタル処理装置上でのエンドユーザによる固有のパスコードの入力；
（４）エンドユーザの１つ以上の追加の生体認証の形式に由来する特徴の確認または識別；および
（５）エンドユーザのユーザステータスを一致させるためのコンテキストデータの分析、
から選択される、請求項１３に記載の記憶媒体。
【請求項１６】
アクセス認可の判断のために、物理的またはバーチャルなリソースの位置のデータに関連する地理的位置に依存する許可の任意の変化が、エンドユーザの地理的位置に対して比較可能になるように、コンテキストデータ、および物理的またはバーチャルなリソースの位置のデータは、時間に基づくまたは事象に基づくスケジュールで更新され、デジタル処理装置に送られる、請求項１５に記載の記憶媒体。
【請求項１７】
アクセスの認可は、１人以上の追加のユーザからの許可を要求することを含む、請求項１５に記載の記憶媒体。
【請求項１８】
事象の非同期的な実行は、（ａ）事象の時間のあいだのデジタル処理装置のモニタリングに基づいて、または（ｂ）ユーザが入力したデータ、またはコンテキストデータに基づいて、許可される、請求項１５に記載の記憶媒体。
【請求項１９】
非接触的プロセスは、エンドユーザの１つ以上の生体認証の形式の光学的な、または音響的な特徴によるエンドユーザの確認または認識を含む、請求項１３に記載の記憶媒体。
【請求項２０】
エンドユーザの生体認証の形式の光学的な特徴は、ヒトの手のひらの一連の特性に由来し、これは、以下の工程：
（ａ）局所的なクラシファイアを用いて手のひらの領域を検知する工程；
（ｂ）１つ以上の対象領域から特性を抽出する工程；および
（ｃ）データベースに保存された１つ以上のユーザモデルに対するマッチングスコアを計算する工程であって、該データベースがラーニングプロセスを通じて動的に増加し、ラーニングプロセスがディープラーニングに基づく方法論を含む、工程、
を介してエンドユーザの手のひらの画像または一連の画像を撮ることにより実行される、請求項１９に記載の記憶媒体。
【請求項２１】
物理的なリソースは、（ａ）家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶の１つ以上、あるいは、（ｂ）家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶の１つ以上の小区画を含む、請求項１３に記載の記憶媒体。
【請求項２２】
バーチャルなリソースは、財務情報、デジタルサービスのアカウント、デジタル商品のアカウント、個別のファイル、複数のファイル、ユーザインターフェース、セキュリティシステム、オペレーティングシステム、アプリケーション、複数のアプリケーション、電子メール、または電気通信システムの１つ以上を含む、請求項１３に記載の記憶媒体。
【請求項２３】
電子キーはコンピュータ装置のデータベースと同期し、コンピュータ装置は、物理的またはバーチャルなリソースのマネージャによって制御され、マネージャはコンピュータ装置のユーザに対し：
（ａ）電子キーに関連したデータの閲覧；
（ｂ）エンドユーザとの直接の連絡；
（ｃ）電子キーの作成または無効化；および
（ｄ）電子キーの送信または受信、
のうち１つ以上を実施することを許可する、請求項１３に記載の記憶媒体。
【手続補正２】
【補正対象書類名】明細書
【補正対象項目名】００１４
【補正方法】変更
【補正の内容】
【００１４】
別の態様では、電子キーの供給およびアクセス管理のためのコンピュータによって実行されるシステムは、以下を含む：（ａ）メモリモジュールおよび実行命令を実施するように構成されるオペレーティングシステムを含むデジタル処理装置；（ｂ）アプリケーションを実行するためのデジタル処理装置によって処理される以下の命令を含むコンピュータプログラム：（１）エンドユーザの１つ以上の生体認証の特性を取得するように構成されたソフトウェアモジュール；（２）地理的位置、他のコンテキストデータまたはそれらの組み合わせを受け入れるように構成されたソフトウェアモジュール；（３）電子キーを作成または受信ように構成されたソフトウェアモジュール；および（４）１つ以上の生体認証の特性、電子キー、地理的位置、時間、一つ以上の事象、リソースの位置、他のコンテキストデータ、またはそれらの組み合わせに基づいて、物理的またはバーチャルなリソースへのアクセスを認めるように構成されたソフトウェアモジュール。いくつかの実施形態では１つ以上の生体認証の特性を取得することは、非接触的な方法で完了する。いくつかの実施形態では、１つ以上の生体認証の特性は、指紋、掌紋、虹彩、網膜、顔、ヒトの心臓のリズム、およびヒトの声のうち１つ以上の生体認証の形式に由来する特性を含む。いくつかの実施形態では、アクセスの認可は、１つ以上の生体認証の特性に基づきエンドユーザの同一性を確認し、その結果として、物理的またはバーチャルのリソースのロックを解除することを含む。いくつかの実施形態では、アクセスの認可は、事象の同時またはほぼ同時の実行を含み、上記の事象は以下の群から選択される：（ａ）エンドユーザの１つ以上の生体認証の特性の確認または識別；（ｂ）物理的またはバーチャルのリソースの位置へのエンドユーザの地理的位置の近さの測定；（ｃ）デジタル処理装置の装置ＩＤを読み取ること；（ｄ）デジタル処理装置上でエンドユーザから独自のパスコードを入力すること；および（ｅ）エンドユーザの１つ以上の追加の生体認証の形式に由来する特徴の確認または識別。いくつかの実施形態では、物理的またはバーチャルなリソースにおけるコンテキストデータは時間によって変化し、物理的またはバーチャルなリソースの位置データと関連する地理的位置に依存する許可が有効であり続けるように、この位置データを含む時間に基づく、または事象に基づく更新が物理的またはバーチャルなリソースからエンドユーザのデジタル処理装置へと送られる必要がある。いくつかの実施形態では、アクセスの認可は、１人以上の追加のユーザによる許可を要求することを含む。いくつかの実施形態では、アクセスの認可は、事象の非同期的な実行を含み、上記の事象は以下の群から選択される：（ａ）エンドユーザの１つ以上の生体認証の特性の確認または識別；（ｂ）物理的またはバーチャルのリソースの位置へのエンドユーザの地理的位置の近さの測定；（ｃ）デジタル処理装置の装置ＩＤを読み取ること；（ｄ）デジタル処理装置上でエンドユーザから独自のパスコードを入力すること；および（ｅ）エンドユーザの１つ以上の追加の生体認証の形式に由来する特徴の確認または識別。いくつかの実施形態では、物理的またはバーチャルなリソースにおけるコンテキストデータは時間によって変化し、物理的またはバーチャルなリソースの位置データと関連する地理的位置に依存する許可が有効であり続けるように、この位置データを含む時間に基づく、または事象に基づく更新が物理的またはバーチャルなリソースからエンドユーザのデジタル処理装置へと送られる必要がある。いくつかの実施形態では、アクセスの認可は、１人以上の追加のユーザによる許可を要求することを含む。いくつかの実施形態では、事象の非同期的な実行は、事象の時間のあいだのデジタル処理装置のモニタリングに基づいて許可される。いくつかの実施形態では、事象の非同期的な実行は、ユーザが入力した、またはコンテキストデータに基づいて許可される。いくつかの実施形態では、アクセスの認可は、非接触的なプロセス、すなわち、エンドユーザの１つ以上の生体認証の形式での光学的な、または音響的な特徴によるエンドユーザの確認または識別を含む工程である。いくつかの実施形態では、エンドユーザの生体認証の形式の光学的な特徴は、以下の工程を通じてエンドユーザの手のひらの画像または一連の画像を取り込むことにより実行されたヒトの手のひらの特性のセットに由来する：（ａ）局所的なクラシファイアを用いて手のひらの領域を検知する工程；（ｂ）１つ以上の対象領域から特性を抽出する工程；および、（ｃ）ラーニングプロセスを通じて動的に増加するデータベースに保存された１つ以上のユーザモデルに対するマッチングスコアを計算する工程。いくつかの実施形態では、ラーニングプロセスはディープラーニングに基づく構造を含む。いくつかの実施形態では、物理的なリソースは以下の１つ以上を含む：家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶。いくつかの実施形態では、物理的なリソースは以下の１つ以上の小区画を含む：家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶。いくつかの実施形態では、バーチャルなリソースは以下のうち１つ以上を含む：財務情報、デジタルサービスのアカウント、デジタル商品のアカウント、個別のファイル、複数のファイル、ユーザインターフェース、セキュリティシステム、オペレーティングシステム、アプリケーション、複数のアプリケーション、電子メール、または電気通信システム。いくつかの実施形態では、電子キーは取り消すことが可能である。いくつかの実施形態では、電子キーは時間によって表示される（ｔｉｍｅ−ｄｅｎｏｍｉｎａｔｅｄ）、事象によって表示される（ｅｖｅｎｔ−ｄｅｎｏｍｉｎａｔｅｄ）、またはそれらの組み合わせである。いくつかの実施形態では、電子キーはコンピュータ装置内のデータベースと同期する。いくつかの実施形態では、コンピュータ装置は、物理的またはバーチャルのリソースのマネージャ、すなわちコンピュータ装置のユーザに以下のうち１つ以上を実施することを許可するマネージャによって制御される：（ａ）電子キーに関連したデータの閲覧；（ｂ）エンドユーザとの直接の連絡；（ｃ）電子キーの作成または無効化；および（ｄ）電子キーの送信、または受信。いくつかの実施形態では、電子キーのデータに関連したデータは定期的に、またはリアルタイムで更新される。いくつかの実施形態では、アプリケーションはさらに、物理的またはバーチャルのリソースに対して電子キーを受信し、保存し、送信し、または作成するように構成されたソフトウェアモジュールを含む。
【手続補正３】
【補正対象書類名】明細書
【補正対象項目名】００１５
【補正方法】変更
【補正の内容】
【００１５】
別の態様では、デジタル信号プロセッサが実行可能な命令を含み、電子キーの提供、およびアクセス管理のためのアプリケーションを作成するための、コンピュータプログラムでコード化された非一時的なコンピュータで読み取り可能な記憶媒体が本明細書に記載され、アプリケーションは以下を含む：（ａ）エンドユーザの１つ以上の生体認証の特性を取得するように構成されたソフトウェアモジュール；（ｂ）地理的位置のデータ、他のコンテキストデータ、またはそれらの組み合わせを得るように構成されたソフトウェアモジュール；（ｃ）電子キーを作成または受信ように構成されたソフトウェアモジュール；および（ｄ）１つ以上の生体認証の特性、電子キー、地理的位置のデータ、時間、１つ以上の事象、リソースの位置、他のコンテキストデータ、またはそれらの組み合わせに基づいて、物理的またはバーチャルなリソースへのアクセスを認めるソフトウェアモジュール。いくつかの実施形態では、１つ以上の生体認証の特性を取得することは、非接触的な方法で完了される。いくつかの実施形態では、１つ以上の生体認証の特性は、指紋、掌紋、虹彩、網膜、顔、ヒトの心臓のリズム、およびヒトの声のうち１つ以上の生体認証の形式に由来する特性を含む。いくつかの実施形態では、アクセスの認可は、１つ以上の生体認証の特性に基づきエンドユーザの同一性を確認し、その結果として、物理的またはバーチャルのリソースのロックを解除することを含む。いくつかの実施形態では、アクセスの認可は、事象の同時またはほぼ同時の実行を含み、上記の事象は以下の群から選択される：（ａ）エンドユーザの１つ以上の生体認証の特性の確認または識別；（ｂ）物理的またはバーチャルのリソースの位置へのエンドユーザの地理的位置の近さの測定；（ｃ）デジタル処理装置の装置ＩＤを読み取ること；（ｄ）デジタル処理装置上でエンドユーザから独自のパスコードを入力すること；および（ｅ）エンドユーザの１つ以上の追加の生体認証の形式に由来する特徴の確認または識別。いくつかの実施形態では、物理的またはバーチャルなリソースにおけるコンテキストデータは時間によって変化し、物理的またはバーチャルなリソースの位置データと関連する地理的位置に依存する許可が有効であり続けるように、この位置データを含む時間に基づく、または事象に基づく更新が物理的またはバーチャルなリソースからエンドユーザのデジタル処理装置へと送られる必要がある。いくつかの実施形態では、アクセスの認可は、１人以上の追加のユーザからの許可を要求することを含む。いくつかの実施形態では、アクセスの認可は、事象の非同期的な実行を含み、上記の事象は以下の群から選択される：（ａ）エンドユーザの１つ以上の生体認証の特性の確認または識別；（ｂ）物理的またはバーチャルのリソースの位置へのエンドユーザの地理的位置の近さの測定；（ｃ）デジタル処理装置の装置ＩＤを読み取ること；（ｄ）デジタル処理装置上でエンドユーザから独自のパスコードを入力すること；および（ｅ）エンドユーザの１つ以上の追加の生体認証の形式に由来する特徴の確認または識別。いくつかの実施形態では、物理的またはバーチャルなリソースにおけるコンテキストデータは時間によって変化し、物理的またはバーチャルなリソースの位置データと関連する地理的位置に依存する許可が有効であり続けるように、この位置データを含む時間に基づく、または事象に基づく更新が物理的またはバーチャルなリソースからエンドユーザのデジタル処理装置へと送られる必要がある。いくつかの実施形態では、アクセスの認可は、１人以上の追加のユーザからの許可を要求することを含む。いくつかの実施形態では、事象の非同期的な実行は、事象の時間のあいだのデジタル処理装置のモニタリングに基づいて許可される。いくつかの実施形態では、事象の非同期的な実行は、ユーザが入力した、またはコンテキストデータに基づいて許可される。いくつかの実施形態では、アクセスの認可は、非接触的なプロセス、すなわち、エンドユーザの１つ以上の生体認証の形式での光学的な、または音響的な特徴によるエンドユーザの確認または識別を含む工程である。いくつかの実施形態では、エンドユーザの生体認証の形式の光学的な特徴は、以下の工程を通じてエンドユーザの手のひらの画像または一連の画像を取り込むことにより実行されたヒトの手のひらの特性のセットに由来する：（ａ）局所的なクラシファイアを用いて手のひらの領域を検知する工程；（ｂ）１つ以上の対象領域から特性を抽出する工程；および、（ｃ）ラーニングプロセスを通じて動的に増加するデータベースに保存された１つ以上のユーザモデルに対するマッチングスコアを計算する工程。いくつかの実施形態では、ラーニングプロセスはディープラーニングに基づく構造を含む。いくつかの実施形態では、物理的なリソースは以下の１つ以上を含む：家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶。いくつかの実施形態では、物理的なリソースは以下の１つ以上の小区画を含む：家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶。いくつかの実施形態では、バーチャルなリソースは以下の１つ以上の小区画を含む：財務情報、デジタルサービスのアカウント、デジタル商品のアカウント、個別のファイル、複数のファイル、ユーザインターフェース、セキュリティシステム、オペレーティングシステム、アプリケーション、複数のアプリケーション、電子メール、または電気通信システム。いくつかの実施形態では、電子キーは取り消すことが可能である。いくつかの実施形態では、電子キーは時間によって表示される、事象によって表示される、またはそれらの組み合わせである。いくつかの実施形態では、電子キーはコンピュータ装置内のデータベースと同期する。いくつかの実施形態では、コンピュータ装置は、物理的またはバーチャルのリソースのマネージャ、すなわちコンピュータ装置のユーザに以下のうち１つ以上を実施することを許可するマネージャによって制御される：（ａ）電子キーに関連したデータの閲覧；（ｂ）エンドユーザとの直接の連絡；（ｃ）電子キーの作成または無効化；および（ｄ）電子キーの送信、または受信。いくつかの実施形態では、電子キーのデータに関連したデータは定期的にまたはリアルタイムで更新される。いくつかの実施形態では、アプリケーションはさらに、物理的またはバーチャルのリソースに対して電子キーを受信し、保存し、送信し、または作成するように構成されたソフトウェアモジュールを含む。
【手続補正４】
【補正対象書類名】明細書
【補正対象項目名】００１６
【補正方法】変更
【補正の内容】
【００１６】
別の態様では、電子キーの供給およびアクセス管理のためのコンピュータによって実行される方法が本明細書に記載され、方法は以下を含む：（ａ）コンピュータによって、エンドユーザの１つ以上の生体認証の特性を取得する工程；（ｂ）コンピュータによって、地理的位置データ、他のコンテキストデータまたはそれらの組み合わせを受信する工程；（ｃ）コンピュータによって、電子キーを作成または受信する工程；および（ｄ）コンピュータによって、１つ以上の生体認証の特性、電子キー、地理的位置のデータ、時間、１つ以上の事象、リソースの位置、他のコンテキストデータ、またはそれらの組み合わせに基づいて、物理的またはバーチャルなリソースへのアクセスを認める工程。いくつかの実施形態では、１つ以上の生体認証の特性を取得することは、非接触的な方法で完了される。いくつかの実施形態では、１つ以上の生体認証の特性は、指紋、掌紋、虹彩、網膜、顔、ヒトの心臓のリズム、およびヒトの声のうち１つ以上の生体認証の形式に由来する特性を含む。いくつかの実施形態では、アクセスの認可は、１つ以上の生体認証の特性に基づきエンドユーザの同一性を確認し、その結果として、物理的またはバーチャルのリソースのロックを解除することを含む。いくつかの実施形態では、アクセスの認可は、事象の同時またはほぼ同時の実行を含み、上記の事象は以下の群から選択される：（ａ）エンドユーザの１つ以上の生体認証の特性の確認または識別；（ｂ）物理的またはバーチャルのリソースの位置へのエンドユーザの地理的位置の近さの測定；（ｃ）デジタル処理装置の装置ＩＤを読み取ること；（ｄ）コンピュータ上でエンドユーザから独自のパスコードを入力すること；および（ｅ）エンドユーザの１つ以上の追加の生体認証の形式に由来する特徴の確認または識別。いくつかの実施形態では、物理的またはバーチャルなリソースにおけるコンテキストデータは時間によって変化し、物理的またはバーチャルなリソースの位置データと関連する地理的位置に依存する許可が有効であり続けるように、この位置データを含む時間に基づく、または事象に基づく更新が物理的またはバーチャルなリソースからエンドユーザのデジタル処理装置へと送られる必要がある。いくつかの実施形態では、アクセスの認可は、１人以上の追加のユーザからの許可を要求することを含む。いくつかの実施形態では、アクセスの認可は、事象の非同期的な実行を含み、上記の事象は以下の群から選択される：（ａ）エンドユーザの１つ以上の生体認証の特性の確認または識別；（ｂ）物理的またはバーチャルのリソースの位置へのエンドユーザの地理的位置の近さの測定；（ｃ）デジタル処理装置の装置ＩＤを読み取ること；（ｄ）コンピュータ上でエンドユーザから独自のパスコードを入力すること；および（ｅ）エンドユーザの１つ以上の追加の生体認証の形式に由来する特徴の確認または識別。いくつかの実施形態では、物理的またはバーチャルなリソースにおけるコンテキストデータは時間によって変化し、物理的またはバーチャルなリソースの位置データと関連する地理的位置に依存する許可が有効であり続けるように、この位置データを含む時間に基づく、または事象に基づく更新が物理的またはバーチャルなリソースからエンドユーザのデジタル処理装置へと送られる必要がある。いくつかの実施形態では、アクセスの認可は、１人以上の追加のユーザからの許可を要求することを含む。いくつかの実施形態では、事象の非同期的な実行は、事象の時間のあいだのコンピュータのモニタリングに基づいて許可される。事象の非同期的な実行は、ユーザが入力したデータ、またはコンテキストデータに基づいて許可される。いくつかの実施形態では、アクセスの認可は、非接触的なプロセス、すなわち、エンドユーザの１つ以上の生体認証の形式での光学的な、または音響的な特徴によるエンドユーザの確認または識別を含む工程である。いくつかの実施形態では、エンドユーザの生体認証の形式の光学的な特徴は、以下の工程を通じてエンドユーザの手のひらの画像または一連の画像を取り込むことにより実行されたヒトの手のひらの特性のセットに由来する：（ａ）局所的なクラシファイアを用いて手のひらの領域を検知する工程；（ｂ）１つ以上の対象領域から特性を抽出する工程；および、（ｃ）ラーニングプロセスを通じて動的に増加するデータベースに保存された１つ以上のユーザモデルに対するマッチングスコアを計算する工程。いくつかの実施形態では、ラーニングプロセスはディープラーニングに基づく構造を含む。いくつかの実施形態では、物理的なリソースは以下の１つ以上を含む：家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶。いくつかの実施形態では、物理的なリソースは以下の１つ以上の小区画を含む：家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶。いくつかの実施形態では、バーチャルなリソースは以下の１つ以上の小区画を含む：財務情報、デジタルサービスのアカウント、デジタル商品のアカウント、個別のファイル、複数のファイル、ユーザインターフェース、セキュリティシステム、オペレーティングシステム、アプリケーション、複数のアプリケーション、電子メール、または電気通信システム。いくつかの実施形態では、電子キーは取り消すことが可能である。いくつかの実施形態では、電子キーは時間によって表示される、事象によって表示される、またはそれらの組み合わせである。いくつかの実施形態では、電子キーはコンピュータ装置内のデータベースと同期する。いくつかの実施形態では、コンピュータ装置は、物理的またはバーチャルのリソースのマネージャ、すなわちコンピュータ装置のユーザに以下のうち１つ以上を実施することを許可するマネージャによって制御される：（ａ）電子キーに関連したデータの閲覧；（ｂ）エンドユーザとの直接の連絡；（ｃ）電子キーの作成または無効化；および（ｄ）電子キーの送信、または受信。いくつかの実施形態では、電子キーのデータに関連したデータは定期的にまたはリアルタイムで更新される。いくつかの実施形態では、方法はさらに、コンピュータによって物理的またはバーチャルのリソースに対して電子キーを受信し、保存し、送信し、または作成することを含む。
【手続補正５】
【補正対象書類名】明細書
【補正対象項目名】００２４
【補正方法】変更
【補正の内容】
【００２４】
様々な実施形態において、本明細書に記載される技術は、電子キーの供給、およびアクセス管理のためのコンピュータによって実行されるシステムを含み、上記システムは以下のものを含む：（ａ）メモリモジュールおよび実行命令を実施するように構成されるオペレーティングシステムを含むデジタル処理装置；（ｂ）アプリケーションを実行するためのデジタル処理装置によって処理される以下の命令を含むコンピュータプログラム：（１）エンドユーザの１つ以上の生体認証の特性を取得するように構成されたソフトウェアモジュール；（２）地理的位置のデータ、他のコンテキストデータ、またはそれらの組み合わせを得るように構成されたソフトウェアモジュール；（３）電子キーを作成または受信ように構成されたソフトウェアモジュール；および（４）１つ以上の生体認証の特性、電子キー、地理的位置、時間、一つ以上の事象、リソースの位置、他のコンテキストデータ、またはそれらの組み合わせに基づいて、物理的またはバーチャルなリソースへのアクセスを認めるように構成されたソフトウェアモジュール。いくつかの実施形態では、１つ以上の生体認証の特性を取得することは、非接触的な方法で完了される。いくつかの実施形態では、１つ以上の生体認証の特性は、指紋、掌紋、虹彩、網膜、顔、ヒトの心臓のリズム、およびヒトの声のうち１つ以上の生体認証の形式に由来する特性を含む。いくつかの実施形態では、アクセスの認可は、１つ以上の生体認証の特性に基づきエンドユーザの同一性を確認し、その結果として、物理的またはバーチャルのリソースのロックを解除することを含む。いくつかの実施形態では、アクセスの認可は、事象の同時またはほぼ同時の実行を含み、上記の事象は以下の群から選択される：（ａ）エンドユーザの１つ以上の生体認証の特性の確認または識別；（ｂ）物理的またはバーチャルのリソースの位置へのエンドユーザの地理的位置の近さの測定；（ｃ）デジタル処理装置の装置ＩＤを読み取ること；（ｄ）デジタル処理装置上でエンドユーザから独自のパスコードを入力すること；および（ｅ）エンドユーザの１つ以上の追加の生体認証の形式に由来する特徴の確認または識別。いくつかの実施形態では、物理的またはバーチャルなリソースにおけるコンテキストデータは時間によって変化し、物理的またはバーチャルなリソースの位置データと関連する地理的位置に依存する許可が有効であり続けるように、この位置データを含む時間に基づく、または事象に基づく更新が物理的またはバーチャルなリソースからエンドユーザのデジタル処理装置へと送られる必要がある。いくつかの実施形態では、アクセスの認可は、１人以上の追加のユーザからの許可を要求することを含む。いくつかの実施形態では、アクセスの認可は、事象の非同期的な実行を含み、上記の事象は以下の群から選択される：（ａ）エンドユーザの１つ以上の生体認証の特性の確認または識別；（ｂ）物理的またはバーチャルのリソースの位置へのエンドユーザの地理的位置の近さの測定；（ｃ）デジタル処理装置の装置ＩＤを読み取ること；（ｄ）デジタル処理装置上でエンドユーザから独自のパスコードを入力すること；および（ｅ）エンドユーザの１つ以上の追加の生体認証の形式に由来する特徴の確認または識別。いくつかの実施形態では、物理的またはバーチャルなリソースにおけるコンテキストデータは時間によって変化し、物理的またはバーチャルなリソースの位置データと関連する地理的位置に依存する許可が有効であり続けるように、この位置データを含む時間に基づく、または事象に基づく更新が物理的またはバーチャルなリソースからエンドユーザのデジタル処理装置へと送られる必要がある。いくつかの実施形態では、アクセスの認可は、１人以上の追加のユーザからの許可を要求することを含む。いくつかの実施形態では、事象の非同期的な実行は、事象の時間のあいだのデジタル処理装置のモニタリングに基づいて許可される。いくつかの実施形態では、事象の非同期的な実行は、ユーザが入力した、またはコンテキストデータに基づいて許可される。いくつかの実施形態では、アクセスの認可は、非接触的なプロセス、すなわち、エンドユーザの１つ以上の生体認証の形式での光学的な、または音響的な特徴によるエンドユーザの確認または識別を含む工程である。いくつかの実施形態では、エンドユーザの生体認証の形式の光学的な特徴は、以下の工程を通じてエンドユーザの手のひらの画像または一連の画像を取り込むことにより実行されたヒトの手のひらの特性のセットに由来する：（ａ）局所的なクラシファイアを用いて手のひらの領域を検知する工程；（ｂ）１つ以上の対象領域から特性を抽出する工程；および、（ｃ）ラーニングプロセスを通じて動的に増加するデータベースに保存された１つ以上のユーザモデルに対するマッチングスコアを計算する工程。いくつかの実施形態では、ラーニングプロセスはディープラーニングに基づく構造を含む。いくつかの実施形態では、物理的なリソースは以下の１つ以上を含む：家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶。いくつかの実施形態では、物理的なリソースは以下の１つ以上の小区画を含む：家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶。いくつかの実施形態では、バーチャルなリソースは以下の１つ以上の小区画を含む：財務情報、デジタルサービスのアカウント、デジタル商品のアカウント、個別のファイル、複数のファイル、ユーザインターフェース、セキュリティシステム、オペレーティングシステム、アプリケーション、複数のアプリケーション、電子メール、または電気通信システム。いくつかの実施形態では、電子キーは取り消すことが可能である。いくつかの実施形態では、電子キーは時間によって表示される、事象によって表示される、またはそれらの組み合わせである。いくつかの実施形態では、電子キーはコンピュータ装置内のデータベースと同期する。いくつかの実施形態では、コンピュータ装置は、物理的またはバーチャルのリソースのマネージャ、すなわちコンピュータ装置のユーザに以下のうち１つ以上を実施することを許可するマネージャによって制御される：（ａ）電子キーに関連したデータの閲覧；（ｂ）エンドユーザとの直接の連絡；（ｃ）電子キーの作成または無効化；よび（ｄ）電子キーの送信、または受信。いくつかの実施形態では、電子キーのデータに関連したデータは定期的にまたはリアルタイムで更新される。いくつかの実施形態では、アプリケーションはさらに、物理的またはバーチャルのリソースに対して電子キーを受信し、保存し、送信し、または作成するように構成されたソフトウェアモジュールを含む。
【手続補正６】
【補正対象書類名】明細書
【補正対象項目名】００２５
【補正方法】変更
【補正の内容】
【００２５】
様々な実施形態において、本明細書において記載される技術はデジタル信号プロセッサが実行可能な命令を含み、電子キーの提供、およびアクセス管理のためのアプリケーションを作成するための、コンピュータプログラムでコード化された非一時的なコンピュータで読み取り可能な記憶媒体であり、アプリケーションは以下を含む：（ａ）エンドユーザの１つ以上の生体認証の特性を取得するように構成されたソフトウェアモジュール；（ｂ）地理的位置のデータ、他のコンテキストデータ、またはそれらの組み合わせを受信ように構成されたソフトウェアモジュール；（ｃ）電子キーを作成または受信ように構成されたソフトウェアモジュール；および（ｄ）１つ以上の生体認証の特性、電子キー、地理的位置のデータ、時間、１つ以上の事象、リソースの位置、他のコンテキストデータ、またはそれらの組み合わせに基づいて、物理的またはバーチャルなリソースへのアクセスを認めるソフトウェアモジュール。いくつかの実施形態では１つ以上の生体認証の特性を取得することは、非接触的な方法で完了する。いくつかの実施形態では、１つ以上の生体認証の特性は、指紋、掌紋、虹彩、網膜、顔、ヒトの心臓のリズム、およびヒトの声のうち１つ以上の生体認証の形式に由来する特性を含む。いくつかの実施形態では、アクセスの認可は、１つ以上の生体認証の特性に基づきエンドユーザの同一性を確認し、その結果として、物理的またはバーチャルのリソースのロックを解除することを含む。いくつかの実施形態では、アクセスの認可は、事象の同時またはほぼ同時の実行を含み、上記の事象は以下の群から選択される：（ａ）エンドユーザの１つ以上の生体認証の特性の確認または識別；（ｂ）物理的またはバーチャルのリソースの位置へのエンドユーザの地理的位置の近さの測定；（ｃ）デジタル処理装置の装置ＩＤを読み取ること；（ｄ）デジタル処理装置上でエンドユーザから独自のパスコードを入力すること；および（ｅ）エンドユーザの１つ以上の追加の生体認証の形式に由来する特徴の確認または識別。いくつかの実施形態では、物理的またはバーチャルなリソースにおけるコンテキストデータは時間によって変化し、物理的またはバーチャルなリソースの位置データと関連する地理的位置に依存する許可が有効であり続けるように、この位置データを含む時間に基づく、または事象に基づく更新が物理的またはバーチャルなリソースからエンドユーザのデジタル処理装置へと送られる必要がある。いくつかの実施形態では、アクセスの認可は、１人以上の追加のユーザからの許可を要求することを含む。いくつかの実施形態では、アクセスの認可は、事象の非同期的な実行を含み、上記の事象は以下の群から選択される：（ａ）エンドユーザの１つ以上の生体認証の特性の確認または識別；（ｂ）物理的またはバーチャルのリソースの位置へのエンドユーザの地理的位置の近さの測定；（ｃ）デジタル処理装置の装置ＩＤを読み取ること；（ｄ）デジタル処理装置上でエンドユーザから独自のパスコードを入力すること；および（ｅ）エンドユーザの１つ以上の追加の生体認証の形式に由来する特徴の確認または識別。いくつかの実施形態では、物理的またはバーチャルなリソースにおけるコンテキストデータは時間によって変化し、物理的またはバーチャルなリソースの位置データと関連する地理的位置に依存する許可が有効であり続けるように、この位置データを含む時間に基づく、または事象に基づく更新が物理的またはバーチャルなリソースからエンドユーザのデジタル処理装置へと送られる必要がある。いくつかの実施形態では、アクセスの認可は、１人以上の追加のユーザからの許可を要求することを含む。いくつかの実施形態では、事象の非同期的な実行は、事象の時間のあいだのデジタル処理装置のモニタリングに基づいて許可される。いくつかの実施形態では、事象の非同期的な実行は、ユーザが入力した、またはコンテキストデータに基づいて許可される。いくつかの実施形態では、アクセスの認可は、非接触的なプロセス、すなわち、エンドユーザの１つ以上の生体認証の形式での光学的な、または音響的な特徴によるエンドユーザの確認または識別を含む工程である。いくつかの実施形態では、エンドユーザの生体認証の形式の光学的な特徴は、以下の工程を通じてエンドユーザの手のひらの画像または一連の画像を取り込むことにより実行されたヒトの手のひらの特性のセットに由来する：（ａ）局所的なクラシファイアを用いて手のひらの領域を検知する工程；（ｂ）１つ以上の対象領域から特性を抽出する工程；
および、（ｃ）ラーニングプロセスを通じて動的に増加するデータベースに保存された１つ以上のユーザモデルに対するマッチングスコアを計算する工程。いくつかの実施形態では、ラーニングプロセスはディープラーニングに基づく構造を含む。いくつかの実施形態では、物理的なリソースは以下の１つ以上を含む：家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶。いくつかの実施形態では、物理的なリソースは以下の１つ以上の小区画を含む：家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶。いくつかの実施形態では、バーチャルなリソースは以下の１つ以上の小区画を含む：財務情報、デジタルサービスのアカウント、デジタル商品のアカウント、個別のファイル、複数のファイル、ユーザインターフェース、セキュリティシステム、オペレーティングシステム、アプリケーション、複数のアプリケーション、電子メール、または電気通信システム。いくつかの実施形態では、電子キーは取り消すことが可能である。いくつかの実施形態では、電子キーは時間によって表示される、事象によって表示される、またはそれらの組み合わせである。いくつかの実施形態では、電子キーはコンピュータ装置内のデータベースと同期する。いくつかの実施形態では、コンピュータ装置は、物理的またはバーチャルのリソースのマネージャ、すなわちコンピュータ装置のユーザに以下のうち１つ以上を実施することを許可するマネージャによって制御される：（ａ）電子キーに関連したデータの閲覧；（ｂ）エンドユーザとの直接の連絡；（ｃ）電子キーの作成または無効化；および（ｄ）電子キーの送信、または受信。いくつかの実施形態では、電子キーのデータに関連したデータは定期的にまたはリアルタイムで更新される。いくつかの実施形態では、アプリケーションはさらに、物理的またはバーチャルのリソースに対して電子キーを受信し、保存し、送信し、または作成するように構成されたソフトウェアモジュールを含む。
【手続補正７】
【補正対象書類名】明細書
【補正対象項目名】００２６
【補正方法】変更
【補正の内容】
【００２６】
様々な実施形態において、本明細書に記載された技術は、電子キーの供給およびアクセス管理のためのコンピュータによって実行される方法であり、方法は以下を含む：（ａ）コンピュータによって、エンドユーザの１つ以上の生体認証の特性を取得する工程；（ｂ）コンピュータによって、地理的位置データ、他のコンテキストデータまたはそれらの組み合わせを受信する工程；（ｃ）コンピュータによって、電子キーを作成または受信する工程；および（ｄ）コンピュータによって、１つ以上の生体認証の特性、電子キー、地理的位置のデータ、時間、１つ以上の事象、リソースの位置、他のコンテキストデータ、またはそれらの組み合わせに基づいて、物理的またはバーチャルなリソースへのアクセスを認める工程。いくつかの実施形態では、１つ以上の生体認証の特性を取得することは、非接触的な方法で完了される。いくつかの実施形態では、１つ以上の生体認証の特性は、指紋、掌紋、虹彩、網膜、顔、ヒトの心臓のリズム、およびヒトの声のうち１つ以上の生体認証の形式に由来する特性を含む。いくつかの実施形態では、アクセスの認可は、１つ以上の生体認証の特性に基づきエンドユーザの同一性を確認し、その結果として、物理的またはバーチャルのリソースのロックを解除することを含む。いくつかの実施形態では、アクセスの認可は、事象の同時またはほぼ同時の実行を含み、上記の事象は以下の群から選択される：（ａ）エンドユーザの１つ以上の生体認証の特性の確認または識別；（ｂ）物理的またはバーチャルのリソースの位置へのエンドユーザの地理的位置の近さの測定；（ｃ）デジタル処理装置の装置ＩＤを読み取ること；（ｄ）コンピュータ上でエンドユーザから独自のパスコードを入力すること；および（ｅ）エンドユーザの１つ以上の追加の生体認証の形式に由来する特徴の確認または識別。いくつかの実施形態では、物理的またはバーチャルなリソースにおけるコンテキストデータは時間によって変化し、物理的またはバーチャルなリソースの位置データと関連する地理的位置に依存する許可が有効であり続けるように、この位置データを含む時間に基づく、または事象に基づく更新が物理的またはバーチャルなリソースからエンドユーザのデジタル処理装置へと送られる必要がある。いくつかの実施形態では、アクセスの認可は、１人以上の追加のユーザからの許可を要求することを含む。いくつかの実施形態では、アクセスの認可は、事象の非同期的な実行を含み、上記の事象は以下の群から選択される：（ａ）エンドユーザの１つ以上の生体認証の特性の確認または識別；（ｂ）物理的またはバーチャルのリソースの位置へのエンドユーザの地理的位置の近さの測定；（ｃ）デジタル処理装置の装置ＩＤを読み取ること；（ｄ）コンピュータ上でエンドユーザから独自のパスコードを入力すること；および（ｅ）エンドユーザの１つ以上の追加の生体認証の形式に由来する特徴の確認または識別。いくつかの実施形態では、物理的またはバーチャルなリソースにおけるコンテキストデータは時間によって変化し、物理的またはバーチャルなリソースの位置データと関連する地理的位置に依存する許可が有効であり続けるように、この位置データを含む時間に基づく、または事象に基づく更新が物理的またはバーチャルなリソースからエンドユーザのデジタル処理装置へと送られる必要がある。いくつかの実施形態では、アクセスの認可は、１人以上の追加のユーザからの許可を要求することを含む。いくつかの実施形態では、事象の非同期的な実行は、事象の時間のあいだのコンピュータのモニタリングに基づいて許可される。事象の非同期的な実行は、ユーザが入力したデータ、またはコンテキストデータに基づいて許可される。いくつかの実施形態では、アクセスの認可は、非接触的なプロセス、すなわち、エンドユーザの１つ以上の生体認証の形式での光学的な、または音響的な特徴によるエンドユーザの確認または識別を含む工程である。いくつかの実施形態では、エンドユーザの生体認証の形式の光学的な特徴は、以下の工程を通じてエンドユーザの手のひらの画像または一連の画像を取り込むことにより実行されたヒトの手のひらの特性のセットに由来する：（ａ）局所的なクラシファイアを用いて手のひらの領域を検知する工程；（ｂ）１つ以上の対象領域から特性を抽出する工程；および、（ｃ）ラーニングプロセスを通じて動的に増加するデータベースに保存された１つ以上のユーザモデルに対するマッチングスコアを計算する工程。いくつかの実施形態では、ラーニングプロセスはディープラーニングに基づく構造を含む。いくつかの実施形態では、物理的なリソースは以下の１つ以上を含む：家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶。いくつかの実施形態では、物理的なリソースは以下の１つ以上の小区画を含む：家、アパート、ホテルの部屋、オフィス、建物、施設、貯蔵ユニット、自動車、自転車、自動二輪車、飛行機、ヘリコプター、ドローンなどの遠隔操作されるロボット、または海上の船舶。いくつかの実施形態では、バーチャルなリソースは以下の１つ以上の小区画を含む：財務情報、デジタルサービスのアカウント、デジタル商品のアカウント、個別のファイル、複数のファイル、ユーザインターフェース、セキュリティシステム、オペレーティングシステム、アプリケーション、複数のアプリケーション、電子メール、または電気通信システム。いくつかの実施形態では、電子キーは取り消すことが可能である。いくつかの実施形態では、電子キーは時間によって表示される、事象によって表示される、またはそれらの組み合わせである。いくつかの実施形態では、電子キーはコンピュータ装置内のデータベースと同期する。いくつかの実施形態では、コンピュータ装置は、物理的またはバーチャルのリソースのマネージャ、すなわちコンピュータ装置のユーザに以下のうち１つ以上を実施することを許可するマネージャによって制御される：（ａ）電子キーに関連したデータの閲覧；（ｂ）エンドユーザとの直接の連絡；（ｃ）電子キーの作成または無効化；および（ｄ）電子キーの送信、または受信。いくつかの実施形態では、電子キーのデータに関連したデータは定期的にまたはリアルタイムで更新される。いくつかの実施形態では、方法はさらに、コンピュータによって物理的またはバーチャルのリソースに対して電子キーを受信し、保存し、送信し、または作成することを含む。
【手続補正８】
【補正対象書類名】明細書
【補正対象項目名】００３４
【補正方法】変更
【補正の内容】
【００３４】
時間によって表示されるプログラム可能な電子キーの場合には、マスターユーザは、特定の日付、および１回の基準、または、例えば毎週または毎月などの繰り返される基準であり得る一定の時間窓内にのみ有効であるように、ゲストユーザの資産またはリソースへのアクセスを構成することが出来る。事象によって表示されるプログラム可能な電子キーの場合には、マスターユーザは、任意のデータで駆動する条件が満たされた事象または複合した事象の後にのみ有効であるようにゲストユーザのアクセスを構成することが可能であり、条件は上記事象のタイミングから独立し得る、または条件は上記事象が事前に定義された時間窓または一連の時間窓内で生じるさらなる条件と連結され得る。例えば、ゲストユーザへのアクセスの認可は、以下を含む追加の因子と共に、ゲストユーザの生体認証の特徴による同時、またはほぼ同時の確認または識別を含み得る：（ａ）例えば、ゲストユーザのモバイル装置によって測定される、ゲストユーザがアクセスを望むリソースの位置に対する、ゲストユーザのおおよその地理的位置；（ｂ）ゲストユーザのモバイル装置の装置ＩＤ；（ｃ）上記モバイル装置上でのゲストユーザによって入力される独自のパスコード；（ｄ）ゲストユーザの１つ以上の追加の生体認証の形式に由来する特徴；または（ｅ）その任意の組み合わせ。
【手続補正９】
【補正対象書類名】明細書
【補正対象項目名】００６１
【補正方法】変更
【補正の内容】
【００６１】
非一時的なコンピュータで読み取り可能な記憶媒体
いくつかの実施形態では、本明細書に開示されるシステム、媒体、および方法は、随意にネットワーク化されたデジタル処理装置のオペレーティングシステムによって実行可能な命令を含むプログラムでコード化された１つ以上の非一時的なコンピュータで読み取り可能な記憶媒体を含む。さらなる実施形態では、コンピュータで読み取り可能な記憶媒体は、デジタル処理装置の実体の構成要素である。またさらなる実施形態では、コンピュータで読み取り可能な記憶媒体は、デジタル処理装置から必要に応じて取り外し可能である。いくつかの実施形態において、コンピュータで読み取り可能な記憶媒体は、非限定的な例として、ＣＤ−ＲＯＭ、ＤＶＤ、フラッシュメモリ装置、ソリッドステートメモリ、磁気ディスクドライブ、磁気テープドライブ、光ディスクドライブ、クラウドコンピューティングのシステムおよびサービスなどを含む。いくつかの場合では、プログラムおよび命令は、永続的に、実質上永続的に、半永続的に、または非一過性に媒体にコード化される。